(57)【特許請求の範囲】
【請求項１】
前面片（２７）と、
２つのイヤピース（３２，３３）であって、対応するイヤピース（３２，３３）を前記前面片（２７）に対して回転させるようになされ、同一構造の第１および第２のヒンジ（２，３）により、前記イヤピース（３２，３３）が前記前面片（２７）に対して開き位置にある第１の位置から、前記イヤピース（３２，３３）が前記前面片（２７）に対して略平行でありかつその上側及び下側に位置する第２の位置へ向けて移動するように、前記前面片（２７）に回転自在に連結された２つのイヤピース（３２，３３）と、を備える眼鏡フレー（１）であって、
前記イヤピース（３２，３３）は、前記第２の位置において前記前面片（２７）を上下方向から挟み込み、かつ、長手方向で一致して前記前面片（２７）を一時的に収容するシェル体（４０）を形成する半貝殻形状である、
ことを特徴とする眼鏡フレーム。
【請求項２】
前記第１および第２のヒンジ（２，３）は、各々、前記イヤピース（３２，３３）に回転自在に連結され、前記前面片（２７）に連結された第２の中空本体（１５）内で回転自在に移動可能である第１の本体（４）から作られている、
ことを特徴とする請求項１の眼鏡フレーム。
【請求項３】
弾性適合要素（２６）が、好適には、円筒状の圧縮回転体ばねで構成され、前記第２の本体（１５）の第１のキャビティ（１７）内に収容され、第１のキャビティ（１７）に固定され、前記第１及び第２の位置の選択された位置に自身を保持すべく、前記第１の本体（４）に接触した状態で設置されている、
ことを特徴とする請求項２の眼鏡フレーム。
【請求項４】
前記第１の本体（４）は、ほぼ円筒状の第１の連結用脚（５）を備え、第１の連結用脚（５）から、第１の平坦な端部６の近傍で、好適には円筒状のブロックポイント（７）が半径方向に突出し、前記第１の連結用脚（５）は、キャビティ（１７）の中へ収容され、このキャビティ（１７）は、前記第２の中空本体（１５）において第２の円筒状の脚（１６）の第１の端部で同軸状に開口している、
ことを特徴とする請求項２又は３の眼鏡フレーム。
【請求項５】
第１のキャビティ１７の横方向の面は、特定の領域のアーチに亘り延在し、その両端において第１のハウジング（２０ａ）と第２のハウジング（２０ｂ）を画成している、直線およびループ状の溝（２０）で構成された第１の周方向の案内（１９）を有する、
ことを特徴とする請求項４の眼鏡フレーム。
【請求項６】
前記第１及び第２のハウジングは、前記第１のキャビティ（１７）の長手方向の軸線に対して、約９０°回転して配置されている、
ことを特徴とする請求項５の眼鏡フレーム。
【請求項７】
前記溝（２０）の幅は、連結用の第１のハウジング（２０ａ）及び第２のハウジング（２０ｂ）の中央の直線部分で、そこでの前記第１のブロック（１７）の摺動を可能にすべく、前記第１のブロック（１７）の直径より僅かに大きく、
前記第１のブロックポイント（７）が前記第１のハウジング（２０ａ）内に収容される前記第１の位置から、前記第１のブロックポイント（７）が前記第２のハウジング（２０ｂ）に収容される前記第２の位置まで、選択的に通過するように、前記第１の本体（４）が回転自在に前記第２の本体（１５）に連結される際には、前記第１のキャビティ（１７）の長手方向軸線に関する回転が可能であり、
前記第１及び第２のハウジング（２０ａ，２０ｂ）は、前記第２のハウジングの中への選択的な収容を可能にすべく、前記第１のブロック（７）に対応する形状をもつ、
ことを特徴とする請求項６の眼鏡フレーム。
【請求項８】
前記第１の脚（５）の第２の端部には、「Ｔ」形状で、前記第１の連結用脚（５）より大きな直径を有する円筒状頭部を規定し、第１の軸方向フィン（１０）が突出する、第２のブロックポイント（９）が備わっている
ことを特徴とする請求項４ないし７のいずれかの眼鏡フレーム。
【請求項９】
前記第１の軸方向フィン（１０）は、前記第１の脚（５）の直径に位置付けられ、そして、交差し、前記第１の脚（５）の長手方向の軸線及び前記第１のブロックポイント（７）により規定される面に対して直交する第１のループ穴を有する、
ことを特徴とする請求項８の眼鏡フレーム。
【請求項１０】
前記第１のフィン（１０）の自由端は、前記第１の脚（５）に交差し、湾曲部分（１４）により第２のブロック面（１３ａ）に連結された、第１の平坦なブロック面（１３）を前方で画定し、
前記第２のブロック面（１３ａ）は、前記第１のブロックが突出している側に面し、前記第１のフィン（１０）の側壁で構成されている、
ことを特徴とする請求項２ないし９のいずれかの眼鏡フレーム。
【請求項１１】
コードに係る第２のフィン（２１）が前記第２の脚（１６）の第２の平坦な端部（２２）から突出し、母線に沿って発展する円形アーチ状の断面形状を有している、
ことを特徴とする請求項４ないし９のいずれかの眼鏡フレーム。
【請求項１２】
前記第２のフィン（２１）が、前記第２の脚（１６）の長手方向の軸線に対向する第１の平坦な側部（２３）を有している、
ことを特徴とする請求項１１の眼鏡フレーム。
【請求項１３】
ベアリング（２６）が、好適には、円筒状に形状付けられ、第２の穴が軸線方向にネジ形成され、前記第１の平坦な側（２３）ら直角に突出し、前記第１のハウジング（２０ａ）と同じ方向を向いている、
ことを特徴とする請求項１２の眼鏡フレーム。
【請求項１４】
前記各ヒンジ（３２，３３）の前記第１のハウジング（２０ａ）は、前記前面片（２７）から下方に面し、そして、それに直角である、
ことを特徴とする請求項５ないし１３のいずれかの眼鏡フレーム。
【請求項１５】
前記第１のヒンジ（２）は、前記前面片（２７）に対して上方に面する前記第２のハウジング（２０ｂ）を有し、一方、前記第２のヒンジ（３）は下方に面しているハウジング（２０ｂ）を有する、
ことを特徴とする請求項５ないし１４のいずれかの眼鏡フレーム。
【請求項１６】
前記イヤピース（３２，３３）の各々は、内側に凸のプロフィールを有する前方の面（３４）と、前記前方の面に対に形状付けられ、凹形の内側プロフィールを有する後方の面（３５）とを有し、前記イヤピース（３２，３３）は、長手方向に重ねられると、相互に一致して前記前方片（２７）のためのハウジングを形成する、
ことを特徴とする先行する請求項のいずれかの眼鏡フレーム。
【請求項１７】
前記第１および第２のイヤピース（３２，３３）は、それらの前端部（３６）の一つに、第３のハウジング（３７）を有し、該第３のハウジングは挿入を許容すべく開口しており、そして、前記第１の本体（７）の前記第１のフィン（１０）の一つより僅かに厚い、ことを特徴とする先行する請求項のいずれかの眼鏡フレーム。
【請求項１８】
前記第３のハウジングには、お互いに面し、そして前記第３のハウジング（３７）の上側および下側の基部から第３のハウジングの内部に向かって突出している一対の第１のピン（３８）が備えられている
ことを特徴とする請求項１７の眼鏡フレーム。
【請求項１９】
前記第１のピン（３８）は、好ましくは円筒状であり、前記第１のフィンの前記第１の穴（１１）の直径よりも僅かに小さな直径を有しており、それらは前記第３のハウジング（３７）の中に収容されるように一旦挿入され得、前記イヤピース（３２，３３）と前記ヒンジ８２，３）の間に回動用の連結を形成する、
ことを特徴とする請求項１８の眼鏡フレーム。
【請求項２０】
前記第３のハウジング（３７）には、好ましくは平坦な底が備えられ、これに対して、各前記第１のフィン（１０）およびそれに直交する前記第２のブロック面（１３ａ）の前方に画成された第１のブロック面（１３）が選択的にブロックされ得る、
ことを特徴とする請求項１８又は１９のいずれかの眼鏡フレーム。
【請求項２１】
取り外し可能な弾性のノーズピース（４１）が、前記前面片（２７）にその中央領域で接続され、前記前面片（２７）より大きい厚さを有し、前記イヤピース（３２，３３）の幅は、少なくともそれらの中央の領域において、前記ノーズピース（４１）の厚さより僅かに薄い、
ことを特徴とする先行する請求項のいずれかの眼鏡フレーム。
【請求項２２】
前記第１および第２のヒンジ（２，３）は、前記前面片（２７）から横方向に突き出るように設けられ、前記イヤピース（３２，３３）の長さは、前記第１および第２のヒンジ（２，３）の両端部の間の距離と等しい、あるいは、それよりも僅かに長い、
ことを特徴とする先行する請求項のいずれかの眼鏡フレーム。
【発明の詳細な説明】
【技術分野】
【０００１】
本発明は、特に眼鏡フレームに関し、該眼鏡フレームは、半貝殻形状のイヤピースに回動可能に連結され、弾性的順応要素と対照的に、前面片および／または少なくとも１つのレンズに連結される第２の中空体と回動可能に相互作用する第１の本体とから作られる第１および第２のヒンジを含み、第１および第２のイヤピースが、前面片および／または少なくとも１つのレンズを一時的に保持するために、シェルを形成すべく閉じることができるという事実によって特徴づけられる。
【背景技術】
【０００２】
このタイプの眼鏡フレームの一例が先行技術に存在し、すなわち、特許文献１である。これは、１つが短く、１つが長い２つの部分に分割されているイアピースを回動させることにより寸法を小さくしているが、使用の後に適当なケース内に収容されねばならない。
【０００３】
【特許文献１】ＥＰ０７２３６７３号公報
【発明の開示】
【発明が解決しようとする課題】
【０００４】
この知見の対象は眼鏡フレームである。メガネ産業によって経験された技術的な進展は、特に近年において、ユーザーにますますより良い性能を与えることが可能な製品のマーケットへの導入を可能にした。
【０００５】
この分野の研究は、大量生産されるメガネにおいて、極めて小型で且つ軽量のフレームを作ることが可能な、高耐性で軽量な材料の導入に特に集中された。
【０００６】
同時に、新しい材料の利用と前進した製造技術は、高い矯正力または改善された太陽光線保護力を保証しながら、重量と厚さを減らすレンズの開発に導いた。
【０００７】
かくて、いっそう軽量のメガネが開発され、その構造的および機能的な要素は大部分において、それほど耐性を有さない部分を含み、それらの使用、特にフレームがメガネを掛けまたは外すべく操作されるときに生起される応力変形によりよく耐えるために、好ましくは、より柔軟である。
【０００８】
この既知のタイプのメガネの欠点は、上述の設計目的のためでもあるが、ユーザーに装着されていないとき、すなわち、それらの特定の専用ケースに収容されているときに起こり得る、例えば、偶発的な衝撃や損傷のような、使用中に予測される以外の応力変形を受けたときに、それらは特に脆弱であるという事実である。
【０００９】
さらに、フレームに置かれたレンズは、サングラスの場合でさえ、取り出されるとき異物により引っかきあるいはこすり傷を容易に付けられ、メガネが適切な防護なしで収容されたときはなおさら容易に付けられる。
【００１０】
この問題に対する部分的な解決法は、この処方されたレンズとサングラスとの両方に対して、ユーザーに装着されていないときに用いられる、特別なメガネケースを使用することである。
【００１１】
既知のメガネケースは堅いかあるいは柔らかくてもよく、そして、メガネの完全性を危うくし得る応力変形、およびレンズを引っかき得る異物からレンズを守るために非常に柔らかい材料で内部的に裏打されている。
【００１２】
これらの既知のケースの主な問題は、それらはメガネから分離されたときに保持すべくデザインされ、必要とされるときに利用可能であるように、ユーザーに間断なく持ち運ぶことを強いているという事実である。
【００１３】
これらの既知のケースは、折り畳み得るけれども、内部に一対のメガネを保持するに足る大きさでなくてはならないので、特に剛性の構造体から作られているときは扱いにくい。
【００１４】
これらの既知のケースは、ユーザーがサングラスをかけているときに、特に嵩張り、例えば、運動中や日光浴をしている状況では、これらの既知のケースを持ち運ぶことは極めて具合が悪い。
【００１５】
従って、この知見の対象の主たる目的は、上述の既知の技術における困難性を排除しつつ、指摘された技術的な問題を解決することであり、そして、眼鏡フレームを守る外部の要素を必要とすることなく、迅速に収容され得る眼鏡フレームを創生する知見を見出すことである。
【００１６】
上述の成果の中で、他の重要な目的は、その作動が単純で確実である知見を作り出すことである。
【００１７】
もう一つの重要な目的は、すべての作動状態で審美的に楽しい外観を備えた知見を実現することである。
【００１８】
また、相当に重要なことには、限定された製造原価で構造上単純な知見を作ることである。
【００１９】
下記の構成実施例において、特定の実施例に従って挙げられた単一の特徴は、他の構成実施例に存在する他の異なる特徴と実際には置換され得る。
【発明を実施するための最良の形態】
【００２０】
図面を参照するに、符号１は、第１のヒンジ２と第２のヒンジ３を備える眼鏡フレームを指している。第１のヒンジ２と第２のヒンジ３の両者は同一であり、各々は、ほぼ円筒状の第１の連結用脚５を備える第１の本体４から作られている。第１の脚５からは、その第１の平坦な端部６の近傍で、同じく好ましくは円筒状のブロックポイント７が半径方向に突出している。
【００２１】
この第１の脚５の第２の端部８には、脚５よりも大きな直径を有する円筒状の頭部であって、それから平行六面体形状を有する第１のフィン１０が軸方向に突出している頭部を規定する「Ｔ」形状として側面図に示されている、第２のブロックポイント９がある。
【００２２】
この第１のフィン１０は、第１のブロックポイント７の軸線に平行に、第１の本体４の第１の脚５に、好ましくは、差し渡しに配置され、そして、交差して切削されるが故に、第１の脚５の長手方向の軸線と第１のブロックポイント７の軸線によって画成される面に直交する第１のループ穴１１を有している。
【００２３】
この第１のフィン１０の自由端１２は、湾曲部分１４に連ねられ第１の脚５に交差する第１の平坦なブロック面１３を前方に画成し、および、第１のブロックポイント７が突出している側に面し、そして、例えば、この第１のブロック面１３にほぼ直交して、第１のフィンの側壁で構成されている第２のブロック面１３ａを画成している。
【００２４】
これらの第１および第２のヒンジのそれぞれは、第２の円筒状の脚１６を備える中空の第２の本体１５で構成され、その内部には、同じく円筒状で、第２の本体１５の第１の端部１８において開口すると共に、それと同軸である第１のキャビティ１７が存する。
【００２５】
この第１のキャビティ１７の横方向の面には、例えば、約９０°に等しい特定の領域のアーチに亘り延在し、その両端において第１のハウジング２０ａと第２のハウジング２０ｂを画成している、直線およびループ状の溝２０で構成された第１の周方向の案内１９が存している。
【００２６】
第１のキャビティ１７の長手方向の軸線に関して約９０°だけ、それぞれ回転されて置かれているこれらの第１および第２のハウジング２０ａおよび２０ｂは、直線部分から第２の本体１５の第１の端部１８を指して突出している湾曲部分を備え、直線部分はそれらを結び付けている。
【００２７】
有利には、この溝２０はその中央の直線部分で、第１のブロックポイント７の直径より僅かに広く、それが摺動するのを可能にしている。
【００２８】
第１および第２のハウジング２０ａおよび２０ｂの輪郭における湾曲部分はまた、第１のブロックポイント７の内部への選択的な収容を可能とするべく形状付けられている。
【００２９】
コードによれば、第２の本体１５から第２のフィン２１が突出し、従って、それは第２の脚１６の第２の平坦な端部２２から突出し、そして母線に沿って発展する円形の部分アーチ形状を有している。
【００３０】
この第２のフィン２１は、第２の脚１６の長手方向の軸線に面し、好ましくは、第１のハウジング２０ａに平行である第１の平坦な側面２３を有している。
【００３１】
例えば円筒状に形状付けられ、好ましくは、第２の穴２５が軸線方向にネジ形成されたベアリング２４が、第１の面２３から直角に第１のハウジング２０ａと同じ方向を指して突出している。
【００３２】
最後に、第１および第２のヒンジは、第２の本体１５の第１のキャビティ１７の中に収容され得、その第１の端部の１つにおいて第１のキャビティ１７の底部１７ａに固定される、好ましくは、円筒状の圧縮回転体ばねで構成された弾性の適合要素を備えている。
【００３３】
従って、第１の本体４の第１の円筒状の脚５はこの第１のキャビティ１７の中に挿入されることができ、結果として、第１のブロックポイント７は溝２０で構成された第１の案内１９の中に収容される一方、この第１の脚５の第１の端部６が弾性的順応要素２６の第２の端部と接触するようになる。
【００３４】
従って、第１の本体４は、第１のブロックポイント７が第１のハウジング２０ａの中に収容される開き位置と呼ばれる第１の位置から、この第１のブロックポイント７が第２のハウジング２０ｂの中に収容される同じく折り畳み位置と呼ばれる第２の位置まで、選択的に通過するように、第１のキャビティ１７の長手方向の軸線に沿い回転できるので、第１の本体４はこの第２の本体１５に回転可能に連結される。
【００３５】
これらの位置では、選択された位置に第１のブロックポイント７を保つべく、弾性的順応要素が、第１のブロックポイント７を第１あるいは第２のハウジングの壁に対して押圧するように、第１の本体４の第１の端部６に対して作用する。
【００３６】
このようにして組み立てられたこれらの第１および第２のヒンジは、それぞれ、前面片２７の第１の側端部２８および第２の側端部２９において、ベアリング２４によって前面片２７に関連付けられる。ベアリング２４の各々は、例えば、この前面片に形成された、またはこの前面片よって支持されている異なるレンズ３０を、第２の穴２５の中に形成されたネジへの締結ネジによって保持することができる。
【００３７】
適切には、第２の本体１５の第２の脚１６の第２の平坦な端部２２が、レンズ３０の側壁３１に対するブロックとして作用し、第１および第２のヒンジ２および３のベアリング２４回りの如何なる回転をも妨げることである。
【００３８】
これらの状態では、各ヒンジの第１のハウジング２０ａは前面片と対照をなして後方に面し、そして、ベアリング２４はこの第１のハウジング２０ａと同じ方向に面しているという事実から当然に、およそそれに直角である。
【００３９】
有利には、第１および第２のヒンジ２および３の形状は同じで、前面片２７にその第１の端部２８にて連結される第１のヒンジ２は、上方に面している第２のハウジング２０ｂをもたらし、一方、前面片２７にその第２の端部２９にて連結される第２のヒンジ３は、下方に面している第２のハウジング２０ｂをもたらすことを確実にしている。
【００４０】
前面片２７にその中央領域で接続されているのは、取り外し可能な弾性のノーズピース４１であり、この前面片をユーザーの鼻へ載せるべく、例えば、ゴムあるいは他の弾性材料から作られている。このようにして、ノーズピースは磨耗または汚れたとき容易に交換可能である。フレーム１はまた、同じ半貝殻形状の第１のイヤピース３２と第２のイヤピース３３を備えている。
【００４１】
これらのイヤピースの幅は、有利には前面片２７の厚さより広くて、そして、少なくともそれらの中央の領域において、ノーズピース４１の厚さより僅かに薄い。一方、それらの長さは、前面片２７から横方向に突き出ている第１および第２のヒンジの両端間の距離よりも僅かに長い。
【００４２】
これらの第１と第２のイヤピースの各々は、内側に凸のプロフィールを有する前方の面３４と、前方の面３４に対の関係に形状付けられ、凹形の内側プロフィールを有する後方の面３５とを有し、これらのイヤピースは、長手方向に重ねられるとき、ハウジングを創生すべく相互に一致する。
【００４３】
これらの第１および第２のイヤピース３２および３３は、それらの前端部３６の一つに、第３のハウジング３７を有し、第３のハウジング３７は、挿入を許容すべく開口しており、そして第１の本体４の第１のフィン１０の一つより僅かに厚い。
【００４４】
この第３のハウジングには、一対の第１のピン３８が備えられ、そしてこの第３のハウジング３７の上側および下側の基部からお互いに面して第３のハウジング３７の内部に向かって突出している。
【００４５】
これらの第１のピン３８は、例えば円筒状で、第１のフィン１０の第１の穴１１の直径よりも僅かに小さな直径を有しており、それらは第３のハウジング３７の中に収容されるように一旦挿入され得、第１のイヤピース３２と第１のヒンジ２の間および第２のイヤピース３３と第２のヒンジ３の間にそれぞれ回動用の連結を生じさせる。
【００４６】
第３のハウジング３７にはまた、好ましくは平坦な底３９が備えられ、これに対して、各第１のフィン１０に画成された第１のブロック面１３およびそれに直交する第２のブロック面１３ａが選択的にブロックされ得る。
【００４７】
これらの第１および第２のブロック面を結び付ける湾曲部分１４の存在のおかげで、第１および第２のイヤピースは、それらが前面片２７に直角である第１の位置からそれらが前面片２７におよそ平行である第２の位置に動くように、第１のピン３８の回りに、第１および第２のヒンジと比較してそれぞれ、回転することができる。
【００４８】
ユーザーの実用を可能にするための、予測に従うフレーム操作では、それは実用形態と呼ばれる、図１ないし４に示されるような、第１および第２のイヤピースが互いに平行で、前面片２７におよそ直角で後方に突出する形態を取る。
【００４９】
この状態では、それぞれのヒンジの第１のブロックが、それぞれのヒンジの第２の本体の第１のハウジング２０ａの中に収容されている。
【００５０】
この形態から始動して、フレームは、それぞれのヒンジの第１の本体４をその関係する第２の本体１５の軸線の回りに回転させることによって、図５に示される第１の中間位置に変わることができる。この第１の中間位置では、第１および第２のイヤピースは、互いに、そして前面片２７に対しほとんど平行であり、前面片から反対の方向、すなわち、一つが上方、他方が下方に突き出ている。
【００５１】
実際には、この回転の間に、それぞれのヒンジの第１のブロック７が第１のハウジング２０ａから第２のハウジング２０ｂに移動する。すなわち、第１および第２のヒンジの第２のハウジング２０ｂの一方は上方に面すると共に、他方が下方に面しており、これは、それらがそれぞれ支持しているイヤピースのこれらの位置を強制している、同一の第１および第２のヒンジの有益な配置のおかげである。
【００５２】
それぞれのイヤピースが、それぞれのヒンジの第１の本体４に回動可能に連結されている第１のピン３８の回りに、それぞれのイヤピースを回転させることによって、フレームは、図８に一例として示されている第２の中間の位置を通過して、これらのイヤピースが長手方向で一致してシェル体４０を作っている、図９に示された折り畳み位置にもたらされ得る。
【００５３】
これらのイヤピースの幅は前面片２７の厚みより大きく、且つ、長さが前面片２７から横に突き出る２つのヒンジの両端の間の距離より大きいので、シェル体４０は前面片２７とヒンジ２および３とを保持することができる。
【００５４】
さらに、これらのイヤピースの幅は、少なくともそれらの中央領域において、ノーズピース４１程厚くないので、一旦折り畳み位置に動かされると、シェル体４０の確実な閉鎖を保証すべく、イヤピースがノーズピース４１を僅かに変形させる。
【００５５】
加えて、弾性のノーズピースはそれが連結されている前面片のための保護体である。
【００５６】
この適切な耐性と剛性を備えたシェル体は、メガネと全体のフレームのための防護体であり、別個のケースの中に置かれる必要がなく、最適な便利さと実用性を提供する。
【００５７】
ユーザーがフレームを装着することを望むときは、折り畳みのために上に説明されたのと逆の処置が、その完全な開きに導き、快適に装着可能である。
【００５８】
これは、如何に本知見が設定クレーム、および、眼鏡フレームの防護およびそれが支持する前面片の安全ために外部要素の使用を必要とすることなく、速やかな収容体の創生を可能とする眼鏡フレームを発見した目的を達成したかの証明である。
【００５９】
本知見によって達成された他の重要な目的は、すべての作動状態で審美的に楽しませつつ、単純で、そして安全な操作を保証することである。
【００６０】
当然に、単一の構成部品の材料や大きさは特定の必要性に従ってより関連付けられ得る。
【００６１】
ある特定の異なった機能を遂行する異なった方法は、図示された創造形状のみに共存すべきではなく、図示されなくても、異なる創造形状に個々に存在し得る。
【００６２】
有利である、好都合である、あるいは同様であるとされた形態は、省略または均等物によって置換されることができる。
【００６３】
本知見の他の形態および利点は、同封の図面に簡単に示された排他的でない特別な創作形状の詳細な説明によりさらに強調されるが、同封の図面に限定されない。
【図面の簡単な説明】
【００６４】
【図１】使用位置にある本知見によるフレームを遠近法で示す。
【図２】使用位置にあるフレームの細部を遠近法で示す。
【図３】使用位置にあるフレームを遠近法で示す。
【図４】使用位置にあるフレームの細部を遠近法で示す。
【図５】第１の部分折り畳み位置にあるフレームを遠近法で示す。
【図６】第１の部分折り畳み位置にあるフレームの細部を遠近法で示す。
【図７】第１の部分折り畳み位置にあるフレームの細部の図５におけるＶＩＩ方向の図を示す。
【図８】第２の折り畳み位置にあるフレームを後方から示す。
【図９】折り畳み位置にあるフレームの正面、側面および後面それぞれの３つの図を示す。
【図１０】開き位置にあるヒンジを遠近法で示す。
【図１１】ヒンジを拡大して遠近法で示す。
【図１２】ヒンジの詳細を２つの側面図で示す。
【図１３】ヒンジの詳細を２つの側面図で示す。
【図１４】ヒンジの詳細を図１３の断面マップＸＩＶ−ＸＩＶによる図を用いて示す。
【図１】
0004755997.tif 000002
【図２】
0004755997.tif 000003
【図３】
0004755997.tif 000004
【図４】
0004755997.tif 000005
【図５】
0004755997.tif 000006
【図６】
0004755997.tif 000007
【図７】
0004755997.tif 000008
【図８】
0004755997.tif 000009
【図９】
0004755997.tif 000010
【図１０】
0004755997.tif 000011
【図１１】
0004755997.tif 000012
【図１２】
0004755997.tif 000013
【図１３】
0004755997.tif 000014
【図１４】
0004755997.tif 000015